(57)【特許請求の範囲】
【請求項１】
第１の通信装置と、第２の通信装置と、を含む通信システムであって、
前記第１の通信装置は、
識別情報として第１識別情報が設定されている第１の通信部と、識別情報として前記第１識別情報とは異なる第２識別情報が設定されている第２の通信部と、を含み、
前記第２の通信部は、前記第１の通信部よりも省電力で動作し、
前記第２の通信部は、前記第１の通信部の状態がオフ状態である際に、前記第２識別情報を送信し、
前記第２の通信装置は、
前記第１識別情報と前記第２識別情報との対応を示す対応データを記憶する記憶部と、
前記対応データに基づいて、前記第２の通信部から受信する前記第２識別情報に対応付けられる前記第１識別情報を特定する特定部と、
前記第２識別情報を受信する場合に前記第２の通信部に所定の信号を送信する送信部と、
前記特定部が特定する前記第１識別情報により識別される前記第１の通信部との間で所定の情報処理に用いられるデータの通信を行うデータ通信部と、を含み、
前記第１の通信装置は、前記第２の通信装置から送信される前記所定の信号を前記第２の通信部が受信する場合に前記第１の通信部の状態をオン状態に切り替え、
状態がオン状態に切り替わった前記第１の通信部は、前記第２の通信装置との間での前記所定の情報処理に用いられるデータの通信を開始する、
ことを特徴とする通信システム。
【請求項２】
前記第１の通信部は、
前記第２の通信装置との間でのペアリング処理の際に、前記第１識別情報及び前記第２識別情報を前記第２の通信装置に送信し、
前記第２の通信装置は、
前記第１の通信装置との間でのペアリング処理の際に前記第１の通信部から受信する前記第１識別情報及び前記第２識別情報に基づいて前記対応データを生成する生成部、をさらに含み、
前記記憶部は、前記生成部が生成する前記対応データを記憶する、
ことを特徴とする請求項１に記載の通信システム。
【請求項３】
前記記憶部は、前記第１識別情報と前記第２識別情報との対応規則を示す前記対応データを記憶し、
前記特定部は、前記対応データが示す対応規則に従って、前記第２の通信部から受信する前記第２識別情報に対応付けられる前記第１識別情報を特定する、
ことを特徴とする請求項１に記載の通信システム。
【請求項４】
前記第１の通信装置は、前記第２の通信装置から送信される前記所定の信号を前記第２の通信部が受信する場合に、前記第１の通信部の状態をオン状態に切り替えるとともに前記第２の通信部の状態をオフ状態に切り替える、
ことを特徴とする請求項１から３のいずれか一項に記載の通信装置システム。
【請求項５】
前記第１の通信部は、ブルートゥース３の規格に沿った無線通信を行い、
前記第２の通信部は、ブルートゥースＬＥの規格に沿った無線通信を行う、
ことを特徴とする請求項１から４のいずれか一項に記載の通信装置システム。
【請求項６】
識別情報として第１識別情報が設定されている第１の通信部と、識別情報として前記第１識別情報とは異なる第２識別情報が設定されている第２の通信部と、を含み、
前記第２の通信部は、前記第１の通信部よりも省電力で動作し、
前記第２の通信部は、前記第１の通信部の状態がオフ状態である際に、前記第２識別情報を送信し、
前記第２識別情報を受信する通信相手装置から送信される所定の信号を前記第２の通信部が受信する場合に前記第１の通信部の状態をオン状態に切り替える起動部をさらに含み、
前記第２の通信部が前記第１識別情報を前記通信相手装置に送信することなく、状態がオン状態に切り替わった前記第１の通信部は、前記通信相手装置との間での所定の情報処理に用いられるデータの通信を開始する、
ことを特徴とする通信装置。
【請求項７】
通信相手装置に含まれる第１の通信部の識別情報である第１識別情報と、当該通信相手装置に含まれる第２の通信部の識別情報である、前記第１識別情報とは異なる第２識別情報と、の対応を示す対応データを記憶する記憶部と、
前記対応データに基づいて、前記第１の通信部の状態がオフ状態である際に前記第２の通信部から受信する前記第２識別情報に対応付けられる前記第１識別情報を特定する特定部と、
前記第２識別情報を受信する場合に前記第２の通信部に所定の信号を送信する送信部と、
前記第２の通信部による前記所定の信号の受信に応じて状態がオン状態に切り替わった前記第１の通信部との間での所定の情報処理に用いられるデータの通信を行うデータ通信部と、
を含むことを特徴とする通信装置。
【請求項８】
識別情報として第１識別情報が設定されている第１の通信部と、当該第１の通信部よりも省電力で動作する、識別情報として前記第１識別情報とは異なる第２識別情報が設定されている第２の通信部と、を含む第１の通信装置の、前記第２の通信部が、前記第１の通信部の状態がオフ状態である際に、前記第２識別情報を送信するステップと、
前記第１識別情報と前記第２識別情報との対応を示す対応データを記憶する第２の通信装置が、前記対応データに基づいて、前記第２の通信部から受信する前記第２識別情報に対応付けられる前記第１識別情報を特定するステップと、
前記第２の通信装置が、前記第２識別情報を受信する場合に前記第２の通信部に所定の信号を送信するステップと、
前記第１の通信装置が、前記第２の通信装置から送信される前記所定の信号を前記第２の通信部が受信した場合に、前記第１の通信部の状態をオン状態に切り替えるステップと、
状態がオン状態に切り替わった前記第１の通信部が、前記第２の通信装置との間での所定の情報処理に用いられるデータの通信を開始するステップと、
を含むことを特徴とする省電力方法。
【発明の詳細な説明】
【技術分野】
【０００１】
本発明は、通信システム、通信装置及び省電力方法に関する。
【背景技術】
【０００２】
通信における省電力化技術として、特許文献１には、第１モードよりも消費電力が抑制される第２モードで通信装置が特定のデータを受信した際に、当該通信装置が第１モードに変更されることが記載されている。【０００３】
また特許文献２には、データ通信に必要な期間を除き当該データ通信を行うデータ通信手段を非アクティブ状態にすることが記載されている。【０００４】
また特許文献３には、通信装置に第１の使用モードと第２の使用モードとがあり、通信装置が接続開始信号を受けた場合に、第２の使用モードでは受信強度が所定値以上の場合に応答信号を出力することが記載されている。
【先行技術文献】
【特許文献】
【０００５】
【特許文献１】特開２０１２−３４１７９号公報
【特許文献２】特開２００７−３０６２０１号公報
【特許文献３】特開２０１３−２１１６２１号公報
【発明の概要】
【発明が解決しようとする課題】
【０００６】
発明者らは、ブルートゥース（登録商標）３（ＢＴ３）の規格に対応したＢＴ３チップとブルートゥースＬＥ（ＢＬＥ）の規格に対応したＢＬＥチップとを含む通信装置を用いて、通信における省電力化を行うことを検討している。【０００７】
ＢＬＥチップはＢＴ３チップよりも省電力で動作する。一方で、ＢＬＥチップはＢＴ３チップよりも単位時間あたりに通信可能なデータ量は小さく、また通信の信頼性も低い。そのためデータの通信はＢＴ３チップにより行われることが望ましい。【０００８】
このことを踏まえて、検討している通信装置では、ＢＴ３チップの状態がオフ状態である際にＢＬＥチップが通信相手の装置から所定の信号を受信する。そして当該所定の信号の受信に応じてＢＴ３チップがオン状態に切り替わる。そしてオン状態に切り替わったＢＴ３チップは通信相手の装置との間でのデータの通信を開始する。【０００９】
しかし上述のようにしてデータの通信を開始することとした場合、通信相手の装置は、所定の信号を受信するＢＬＥチップとともに上述の通信装置に含まれるＢＴ３チップを認識できない。例えば通信相手の装置の周囲に、複数のＢＴ３チップが存在する場合に、当該通信相手の装置は、所定の信号に応じてオン状態に切り替わったＢＴ３チップを認識できない。【００１０】
この点特許文献１〜３に記載されている発明では、１の通信装置がＢＴ３チップとＢＬＥチップとを含むことがそもそも想定されていない。【００１１】
なお以上のことは、通信装置がＢＴ３チップとＢＬＥチップとを含む場合に限らず、通信装置が複数の通信部を含む場合において一般的にあてはまる。【００１２】
本発明は上記実情に鑑みてなされたものであって、その目的の一つは、通信相手の装置から所定の信号を受信することに応じてオン状態に切り替わる通信部を当該通信相手の装置に確実に認識させることができる通信システム、通信装置及び省電力方法を提供することにある。
【課題を解決するための手段】
【００１３】
上記課題を解決するために、本発明に係る通信システムは、第１の通信装置と、第２の通信装置と、を含む通信システムであって、前記第１の通信装置は、識別情報として第１識別情報が設定されている第１の通信部と、識別情報として前記第１識別情報とは異なる第２識別情報が設定されている第２の通信部と、を含み、前記第２の通信部は、前記第１の通信部よりも省電力で動作し、前記第２の通信部は、前記第１の通信部の状態がオフ状態である際に、前記第２識別情報を送信し、前記第２の通信装置は、前記第１識別情報と前記第２識別情報との対応を示す対応データを記憶する記憶部と、前記対応データに基づいて、前記第２の通信部から受信する前記第２識別情報に対応付けられる前記第１識別情報を特定する特定部と、前記第２識別情報を受信する場合に前記第２の通信部に所定の信号を送信する送信部と、前記特定部が特定する前記第１識別情報により識別される前記第１の通信部との間で所定の情報処理に用いられるデータの通信を行うデータ通信部と、を含み、前記第１の通信装置は、前記第２の通信装置から送信される前記所定の信号を前記第２の通信部が受信する場合に前記第１の通信部の状態をオン状態に切り替え、状態がオン状態に切り替わった前記第１の通信部は、前記第２の通信装置との間での前記所定の情報処理に用いられるデータの通信を開始する。【００１４】
本発明の一態様では、前記第１の通信部は、前記第２の通信装置との間でのペアリング処理の際に、前記第１識別情報及び前記第２識別情報を前記第２の通信装置に送信し、前記第２の通信装置は、前記第１の通信装置との間でのペアリング処理の際に前記第１の通信部から受信する前記第１識別情報及び前記第２識別情報に基づいて前記対応データを生成する生成部、をさらに含み、前記記憶部は、前記生成部が生成する前記対応データを記憶する。【００１５】
あるいは、前記記憶部は、前記第１識別情報と前記第２識別情報との対応規則を示す前記対応データを記憶し、前記特定部は、前記対応データが示す対応規則に従って、前記第２の通信部から受信する前記第２識別情報に対応付けられる前記第１識別情報を特定する。【００１６】
また、本発明の一態様では、前記第１の通信装置は、前記第２の通信装置から送信される前記所定の信号を前記第２の通信部が受信する場合に、前記第１の通信部の状態をオン状態に切り替えるとともに前記第２の通信部の状態をオフ状態に切り替える。【００１７】
また、本発明の一態様では、前記第１の通信部は、ブルートゥース３の規格に沿った無線通信を行い、前記第２の通信部は、ブルートゥースＬＥの規格に沿った無線通信を行う。【００１８】
また、本発明に係る通信装置は、識別情報として第１識別情報が設定されている第１の通信部と、識別情報として前記第１識別情報とは異なる第２識別情報が設定されている第２の通信部と、を含み、前記第２の通信部は、前記第１の通信部よりも省電力で動作し、前記第２の通信部は、前記第１の通信部の状態がオフ状態である際に、前記第２識別情報を送信し、前記第２識別情報を受信する通信相手装置から送信される所定の信号を前記第２の通信部が受信する場合に前記第１の通信部の状態をオン状態に切り替える起動部をさらに含み、状態がオン状態に切り替わった前記第１の通信部は、前記通信相手装置との間での所定の情報処理に用いられるデータの通信を開始する。【００１９】
また、本発明に係る別の通信装置は、通信相手装置に含まれる第１の通信部の識別情報である第１識別情報と、当該通信相手装置に含まれる第２の通信部の識別情報である、前記第１識別情報とは異なる第２識別情報と、の対応を示す対応データを記憶する記憶部と、前記対応データに基づいて、前記第１の通信部の状態がオフ状態である際に前記第２の通信部から受信する前記第２識別情報に対応付けられる前記第１識別情報を特定する特定部と、前記第２識別情報を受信する場合に前記第２の通信部に所定の信号を送信する送信部と、前記第２の通信部による前記所定の信号の受信に応じて状態がオン状態に切り替わった前記第１の通信部との間での所定の情報処理に用いられるデータの通信を行うデータ通信部と、を含む。【００２０】
また、本発明に係る省電力方法は、識別情報として第１識別情報が設定されている第１の通信部と、当該第１の通信部よりも省電力で動作する、識別情報として前記第１識別情報とは異なる第２識別情報が設定されている第２の通信部と、を含む第１の通信装置の、前記第２の通信部が、前記第１の通信部の状態がオフ状態である際に、前記第２識別情報を送信するステップと、前記第１識別情報と前記第２識別情報との対応を示す対応データを記憶する第２の通信装置が、前記対応データに基づいて、前記第２の通信部から受信する前記第２識別情報に対応付けられる前記第１識別情報を特定するステップと、前記第２の通信装置が、前記第２識別情報を受信する場合に前記第２の通信部に所定の信号を送信するステップと、前記第１の通信装置が、前記第２の通信装置から送信される前記所定の信号を前記第２の通信部が受信した場合に、前記第１の通信部の状態をオン状態に切り替えるステップと、状態がオン状態に切り替わった前記第１の通信部が、前記第２の通信装置との間での所定の情報処理に用いられるデータの通信を開始するステップと、を含む。
【図面の簡単な説明】
【００２１】
【図１】本発明の一実施形態に係る通信システムの全体構成の一例を示す図である。
【図２Ａ】本発明の一実施形態に係るカードリーダの構成の一例を示す図である。
【図２Ｂ】本発明の一実施形態に係る携帯端末の構成の一例を示す図である。
【図３】ペアリング済装置データの一例を示す図である。
【図４Ａ】選択画面の一例を示す図である。
【図４Ｂ】選択画面の別の一例を示す図である。
【図５】本発明の一実施形態に係るカードリーダ及び携帯端末で実装される機能の一例を示す機能ブロック図である。
【図６】本発明の一実施形態に係る通信システムにおいて行われる処理の流れの一例を示すフロー図である。
【図７】ペアリング済装置データの別の一例を示す図である。
【図８】対応規則データの一例を示す図である。
【発明を実施するための形態】
【００２２】
以下、本発明の一実施形態について、図面を参照しながら説明する。
【００２３】
図１は、本発明の一実施形態に係る通信システム１０の全体構成の一例を示す図である。図１に示すように、本実施形態に係る通信システム１０には、カードリーダ１２（１２−１〜１２−ｎ）、携帯端末１４、及び、サーバ１６が含まれている。携帯端末１４及びサーバ１６は、インターネット等のコンピュータネットワーク１８に接続されている。そのため携帯端末１４とサーバ１６とは、コンピュータネットワーク１８を介して互いに通信可能となっている。また本実施形態に係るカードリーダ１２は、携帯端末１４を通信相手の装置（通信相手装置）とした、ブルートゥース（登録商標）の規格に従った無線通信を行う。また本実施形態に係る携帯端末１４は、カードリーダ１２を通信相手の装置（通信相手装置）とした、ブルートゥースの規格に従った無線通信を行う。
【００２４】
カードリーダ１２は、本実施形態では例えば、携帯端末１４と通信する通信装置としての役割を担う可搬装置である。そしてカードリーダ１２には、図２Ａに示すように、例えば、プロセッサ２０、記憶部２２、通信部２４（ＢＴ３チップ２４ａ、及び、ＢＬＥチップ２４ｂ）、カード読み取り部２６などが含まれる。
【００２５】
プロセッサ２０は、例えばカードリーダ１２にインストールされているプログラムに従って動作するＣＰＵ等のプログラム制御デバイスである。記憶部２２は、例えばＲＯＭやＲＡＭ等の記憶素子などである。通信部２４は、ＢＴ３チップ２４ａ及びＢＬＥチップ２４ｂを含んでいる。ＢＴ３チップ２４ａは、ブルートゥース３の規格に従った無線通信を行う通信インタフェースである。ＢＬＥチップ２４ｂは、ブルートゥースＬＥの規格に従った無線通信を行う通信インタフェースである。カード読み取り部２６は、クレジットカードなどの各種のカードに記録されているデータを読み取るデバイスである。
【００２６】
本実施形態では、例えば、ＢＴ３チップ２４ａとＢＬＥチップ２４ｂとには互いに異なる識別情報（ブルートゥースアドレス）が設定されている。以下、ＢＴ３チップ２４ａの識別情報であるブルートゥースアドレスをＢＴ３のＢＤアドレスと呼び、ＢＬＥチップ２４ｂの識別情報であるブルートゥースアドレスをＢＬＥのＢＤアドレスと呼ぶこととする。
【００２７】
ＢＬＥチップ２４ｂはＢＴ３チップ２４ａよりも省電力で動作する。一方で、ＢＬＥチップ２４ｂはＢＴ３チップ２４ａよりも単位時間あたりに通信可能なデータ量は小さく、また通信の信頼性も低い。そのためカードリーダ１２と携帯端末１４との間で行われるデータの通信は、ＢＴ３チップ２４ａにより行われることが望ましい。
【００２８】
携帯端末１４は、例えば、スマートフォンやタブレット端末等の可搬装置であり、本実施形態では、カードリーダ１２と通信する通信装置としての役割を担う。また上述のように携帯端末１４はサーバ１６との間での通信も可能である。図２Ｂに示すように、携帯端末１４には、例えばプロセッサ３０、記憶部３２、通信部３４、表示部３６、センサ部３８、音声出力部４０、カメラ部４２などが含まれる。
【００２９】
プロセッサ３０は、例えば携帯端末１４にインストールされているプログラムに従って動作するＣＰＵ等のプログラム制御デバイスである。記憶部３２は、例えばＲＯＭやＲＡＭ等の記憶素子などである。通信部３４は、ＬＴＥ通信モジュール、無線ＬＡＮモジュール、ブルートゥースモジュール等を含む通信インタフェースである。なお通信部３４が、ブルートゥース３の規格に従った無線通信もブルートゥースＬＥの規格に従った無線通信も可能であってもよい。また通信部３４が、ブルートゥース３の規格に従った無線通信を行うチップとブルートゥースＬＥの規格に従った無線通信を行うチップとを含んでいてもよい。表示部３６は、例えば液晶ディスプレイや有機ＥＬディスプレイ等のディスプレイである。センサ部３８は、例えば加速度や各速度を検出可能なモーションセンサなどといったセンサである。音声出力部４０は、例えばヘッドホンやスピーカ等である。カメラ部４２は、例えばデジタルカメラなどのカメラである。
【００３０】
サーバ１６は、本実施形態では例えば、決済処理等の所定の情報処理を実行するサーバコンピュータである。
【００３１】
本実施形態では、携帯端末１４の通信部３４がカードリーダ１２のＢＴ３チップ２４ａとの間でペアリング処理を行うことで、当該カードリーダ１２に対応付けられるペアリング済装置データが携帯端末１４に登録される。ペアリング済装置データは、本実施形態では例えば、携帯端末１４の記憶部３２に記憶される。
【００３２】
図３は、ペアリング済装置データの一例を示す図である。図３に示すように、ペアリング済装置データには、ペアリング処理の相手である通信装置の名称を示す名称データと、当該通信装置のＢＴ３のＢＤアドレスと、当該通信装置のＢＬＥのＢＤアドレスと、が少なくとも含まれる。
【００３３】
ここで例えば、カードリーダ１２−１の名称はｒｅａｄｅｒ１であり、カードリーダ１２−２の名称はｒｅａｄｅｒ２であり、カードリーダ１２−３の名称はｒｅａｄｅｒ３であることとする。そして図３に示すペアリング済装置データが携帯端末１４に記憶されていることとする。この場合、当該携帯端末１４には、カードリーダ１２−１及びカードリーダ１２−３のペアリング済装置データが登録されており、カードリーダ１２−２のペアリング済装置データは登録されていないこととなる。
【００３４】
図４Ａは、本実施形態に係る携帯端末１４の表示部３６に表示される選択画面の一例を示す図である。図４Ｂは、本実施形態に係る携帯端末１４の表示部３６に表示される選択画面の別の一例を示す図である。なお本実施形態に係る選択画面は図４Ａや図４Ｂに示すものに限定されない。選択画面には、それぞれが携帯端末１４との間でのデータの通信を行うカードリーダ１２の候補に対応付けられる１又は複数の候補情報５０が配置される。
【００３５】
本実施形態では、電源がオンである状態（オン状態）であるＢＬＥチップ２４ｂは、ブルートゥースＬＥの規格に従ったアドバタイジングパケットをブロードキャストする。そしてブロードキャストされているアドバタイジングパケットを受信した携帯端末１４は、当該アドバタイジングパケットを送信したカードリーダ１２に対応付けられる候補情報５０が配置された選択画面を表示させる。
【００３６】
ここでは例えば、携帯端末１４は、カードリーダ１２−１、カードリーダ１２−２、及び、カードリーダ１２−３のそれぞれが送信したアドバタイジングパケットを受信したとする。この場合、図４Ａに示すように、カードリーダ１２−１に対応付けられる候補情報５０−１、カードリーダ１２−２に対応付けられる候補情報５０−２、及び、カードリーダ１２−３に対応付けられる候補情報５０−３が選択画面に配置されてもよい。また図４Ｂに示すように、これらのカードリーダ１２のうち、ペアリング済装置データが登録されているカードリーダ１２に対応付けられる候補情報５０だけが選択画面に配置されてもよい。この場合は例えば、カードリーダ１２−１に対応付けられる候補情報５０−１、及び、カードリーダ１２−３に対応付けられる候補情報５０−３だけが選択画面に配置されることとなる。
【００３７】
図４Ａに示すように、候補情報５０には、例えば、当該候補情報５０に対応付けられるカードリーダ１２の名称を示す文字列Ｓ１が含まれていてもよい。またペアリング済装置データが登録されているカードリーダ１２に対応付けられる候補情報５０には、当該カードリーダ１２のＢＴ３のＢＤアドレスを示す文字列Ｓ２が含まれていてもよい。また候補情報５０には、例えば、当該候補情報５０に対応付けられるカードリーダ１２のＢＬＥのＢＤアドレスを示す文字列Ｓ３が含まれていてもよい。また図４Ｂに示すように、候補情報５０に上述の文字列Ｓ２や文字列Ｓ３が含まれていなくてもよい。
【００３８】
またペアリング済装置データが登録されているカードリーダ１２に対応付けられる候補情報５０には、接続ボタンＢが含まれていてもよい。上述のように携帯端末１４にはカードリーダ１２−２のペアリング済装置データが登録されていないので、候補情報５０−２には、接続ボタンＢが配置されていない。
【００３９】
ここで携帯端末１４のユーザが、データの通信を行いたいカードリーダ１２に対応付けられる候補情報５０に含まれている接続ボタンＢを選択する操作を行うと、当該カードリーダ１２のＢＬＥチップ２４ｂに所定の信号が送信される。以下、当該信号を検出信号と呼ぶこととする。
【００４０】
ＢＬＥチップ２４ｂを介して検出信号を受信したカードリーダ１２は、オフ状態となっている当該カードリーダ１２のＢＴ３チップ２４ａを起動させる。ここで例えば、カードリーダ１２のプロセッサ２０がＢＴ３チップ２４ａを起動させてもよい。また検出信号を受信したＢＬＥチップ２４ｂがＢＴ３チップ２４ａを起動させてもよい。このことにより、当該ＢＴ３チップ２４ａの状態はオフ状態からオン状態に切り替わる。そして携帯端末１４がオン状態に切り替わったＢＴ３チップ２４ａに通信開始要求等のパケットを送信することで、当該携帯端末１４の通信部３４と当該ＢＴ３チップ２４ａとの間でのデータの通信が開始される。そしてカードリーダ１２、携帯端末１４、及び、サーバ１６が連携した所定の情報処理が実行されることとなる。
【００４１】
本実施形態の利用例としては、クレジットカードによる決済処理が挙げられる。この決済処理では、例えば、店舗を利用する顧客のクレジットカードに記録されているデータを当該店舗が所有するカードリーダ１２が読み取る。そして当該店舗が所有する携帯端末１４の通信部３４と当該カードリーダ１２のＢＴ３チップ２４ａとの間での通信によって当該データが当該携帯端末１４に送信される。そして、当該携帯端末１４は当該カードリーダ１２から受信したデータを、クレジットカードを発行する会社が運用しているサーバ１６に送信し、当該サーバ１６と連携して決済処理を行う。
【００４２】
本実施形態では、ＢＬＥチップ２４ｂを介して携帯端末１４から検出信号を受信したカードリーダ１２は、当該カードリーダ１２に含まれる、当該検出信号の受信に応じてオン状態に切り替わるＢＴ３チップ２４ａを当該携帯端末１４に確実に認識させる必要がある。例えばカードリーダ１２は、携帯端末１４に、検出信号の送信先のＢＬＥのＢＤアドレスに対応付けられるＢＴ３のＢＤアドレスを宛先とする通信開始要求等のパケットを確実に送信させる必要がある。
【００４３】
そこで本実施形態では、上述のペアリング済装置データのような、ＢＴ３のＢＤアドレスとＢＬＥのＢＤアドレスとの対応を示す対応データに基づいて、検出信号の受信に応じてオン状態に切り替わるＢＴ３チップ２４ａを特定できるようにした。このようにして本実施形態に係るカードリーダ１２は、当該カードリーダ１２が備える、検出信号の受信に応じてオン状態に切り替わるＢＴ３チップ２４ａを携帯端末１４に確実に認識させることができる。
【００４４】
以下、本実施形態に係るカードリーダ１２及び携帯端末１４の機能並びに本実施形態に係る通信システム１０で実行される処理についてさらに説明する。
【００４５】
図５は、本実施形態に係るカードリーダ１２及び携帯端末１４で実装される機能の一例を示す機能ブロック図である。なお、本実施形態に係るカードリーダ１２及び携帯端末１４で、図５に示す機能のすべてが実装される必要はなく、また、図５に示す機能以外の機能が実装されていても構わない。
【００４６】
図５に示すように、本実施形態に係るカードリーダ１２は、機能的には例えば、ペアリング処理実行部６０、ブロードキャスト部６２、検出信号受信部６４、検出応答送信部６６、起動停止制御部６８、通信開始要求受信部７０、処理実行部７２、を含んでいる。
【００４７】
ペアリング処理実行部６０、通信開始要求受信部７０は、ＢＴ３チップ２４ａを主として実装される。ブロードキャスト部６２、検出信号受信部６４、検出応答送信部６６は、ＢＬＥチップ２４ｂを主として実装される。起動停止制御部６８は、プロセッサ２０及びＢＬＥチップ２４ｂを主として実装される。処理実行部７２は、プロセッサ２０、ＢＴ３チップ２４ａ、及び、カード読み取り部２６を主として実装される。
【００４８】
以上の機能は、コンピュータであるカードリーダ１２にインストールされた、以上の機能に対応する指令を含むプログラムをプロセッサ２０で実行することにより実装されてもよい。また、このプログラムは、例えば、光ディスク、磁気ディスク、磁気テープ、光磁気ディスク等のコンピュータ読み取り可能な情報記憶媒体を介して、あるいは、インターネットなどを介してカードリーダ１２に供給されてもよい。
【００４９】
また、図５に示すように、本実施形態に係る携帯端末１４は、機能的には例えば、ペアリング処理実行部８０、ペアリング済装置データ記憶部８２、ブロードキャストパケット受信部８４、アドレス特定部８６、表示制御部８８、選択受付部９０、検出信号送信部９２、検出応答受信部９４、通信開始要求送信部９６、処理実行部９８を含んでいる。
【００５０】
ペアリング処理実行部８０、ブロードキャストパケット受信部８４、検出信号送信部９２、検出応答受信部９４、通信開始要求送信部９６は、通信部３４を主として実装される。ペアリング済装置データ記憶部８２は、記憶部３２を主として実装される。アドレス特定部８６は、プロセッサ３０を主として実装される。表示制御部８８、選択受付部９０は、プロセッサ３０及び表示部３６を主として実装される。処理実行部９８は、プロセッサ３０及び通信部３４を主として実装される。
【００５１】
以上の機能は、コンピュータである携帯端末１４にインストールされた、以上の機能に対応する指令を含むプログラムをプロセッサ３０で実行することにより実装されてもよい。また、このプログラムは、例えば、光ディスク、磁気ディスク、磁気テープ、光磁気ディスク等のコンピュータ読み取り可能な情報記憶媒体を介して、あるいは、インターネットなどを介して携帯端末１４に供給されてもよい。
【００５２】
ペアリング処理実行部６０は、本実施形態では例えば、携帯端末１４との間でペアリング処理を実行する。当該ペアリング処理は、ＢＴ３チップ２４ａを介して行われてもよい。ペアリング処理において、ペアリング処理実行部６０は、カードリーダ１２の名称を示す名称データ、及び、ＢＴ３のＢＤアドレスなどといった、カードリーダ１２が備えるＢＴ３チップ２４ａの識別情報を、携帯端末１４に送信してもよい。またペアリング処理実行部６０は、ペアリング処理において、ＢＬＥのＢＤアドレスなどといった、カードリーダ１２が備えるＢＬＥチップ２４ｂの識別情報を、携帯端末１４に送信してもよい。
【００５３】
ブロードキャスト部６２は、本実施形態では、例えば、ＢＴ３チップ２４ａの状態がオフ状態である際に、アドバタイジングパケット等のパケットをブロードキャストする。本実施形態では例えば、当該アドバタイジングパケットには、ＢＬＥのＢＤアドレスが含まれる。また、本実施形態では例えば、当該ブロードキャストは、ＢＬＥチップ２４ｂを介して行われる。ここで例えば、所定の時間間隔でアドバタイジングパケットが繰り返しブロードキャストされてもよい。
【００５４】
検出信号受信部６４は、本実施形態では例えば、携帯端末１４から送信される検出信号を、ＢＬＥチップ２４ｂを介して受信する。ここで検出信号受信部６４が検出信号を受信することに応じて、ブロードキャスト部６２がアドバタイジングパケットのブロードキャストを終了してもよい。
【００５５】
検出応答送信部６６は、本実施形態では例えば、検出信号の受信に応じて、当該検出信号を送信した携帯端末１４に、ＢＬＥチップ２４ｂを介して検出応答を送信する。
【００５６】
起動停止制御部６８は、本実施形態では例えば、ＢＴ３チップ２４ａやＢＬＥチップ２４ｂの起動や停止を制御する。ここで例えば検出信号の受信に応じて、起動停止制御部６８が、状態がオフ状態であるＢＴ３チップ２４ａを起動させてもよい。また例えば検出信号の受信に応じて、起動停止制御部６８が、ＢＬＥチップ２４ｂを停止させてもよい。以上のように、ＢＴ３チップ２４ａの識別情報を受信する通信相手装置（ここでは例えば携帯端末１４）から送信される信号をＢＬＥチップ２４ｂが受信する場合に、ＢＴ３チップ２４ａの状態がオン状態に切り替わるようにしてもよい。またこの場合に併せて、ＢＬＥチップ２４ｂの状態がオフ状態に切り替わるようにしてもよい。なお上述の起動停止制御部６８の役割は、プロセッサ２０及びＢＬＥチップ２４ｂが連携して担ってもよいし、プロセッサ２０又はＢＬＥチップ２４ｂが単独で担ってもよい。
【００５７】
通信開始要求受信部７０は、本実施形態では例えば、携帯端末１４から通信開始要求を受信する。ここで例えば、通信開始要求受信部７０は、起動停止制御部６８によって状態がオン状態に切り替わったＢＴ３チップ２４ａを介して携帯端末１４から通信開始要求を受信してもよい。
【００５８】
処理実行部７２は、本実施形態では例えば、携帯端末１４やサーバ１６と連携して、所定の情報処理を実行する。ここで処理実行部７２が、カードリーダ１２に挿入されるクレジットカードを決済する決済処理を実行してもよい。
【００５９】
本実施形態では例えば、通信開始要求受信部７０が通信開始要求を受信することに応じて、処理実行部７２は携帯端末１４との間での所定の情報処理に用いられるデータの通信を開始する。そして処理実行部７２は携帯端末１４と連携して所定の情報処理を実行する。
【００６０】
ペアリング処理実行部８０は、本実施形態では例えば、カードリーダ１２のＢＴ３チップ２４ａとの間でペアリング処理を実行する。ペアリング処理において、ペアリング処理実行部８０は、カードリーダ１２の名称を示す名称データ、及び、ＢＴ３のＢＤアドレスなどといった、カードリーダ１２が備えるＢＴ３チップ２４ａの識別情報を、当該カードリーダ１２から受信してもよい。またペアリング処理実行部８０は、ペアリング処理において、ＢＬＥのＢＤアドレスなどといった、カードリーダ１２が備えるＢＬＥチップ２４ｂの識別情報を、当該カードリーダ１２から受信してもよい。またペアリング処理実行部８０は、ペアリング処理において１のカードリーダ１２から受信した名称データ、ＢＴ３のＢＤアドレス、及び、ＢＬＥのＢＤアドレスの組合せを含むペアリング済装置データを生成してもよい。そしてペアリング処理実行部８０は、生成したペアリング済装置データをペアリング済装置データ記憶部８２に記憶させてもよい。
【００６１】
ペアリング済装置データ記憶部８２は、本実施形態では例えば、図３に例示するペアリング済装置データを記憶する。
【００６２】
ブロードキャストパケット受信部８４は、本実施形態では例えば、ブロードキャスト部６２がブロードキャストするパケットを受信する。受信するパケットには、ＢＬＥのＢＤアドレスなどといった、当該パケットを送信するカードリーダ１２が備えるＢＬＥチップ２４ｂの識別情報が含まれていてもよい。
【００６３】
アドレス特定部８６は、本実施形態では例えば、上述の対応データに基づいて、ＢＬＥチップ２４ｂから受信する当該ＢＬＥチップ２４ｂの識別情報に対応付けられるＢＴ３チップ２４ａの識別情報を特定する。上述のように対応データは例えば、ＢＴ３のＢＤアドレスなどといったＢＴ３チップ２４ａの識別情報とＢＬＥのＢＤアドレスなどといったＢＬＥチップ２４ｂの識別情報との対応を示すデータである。そして対応データは、ペアリング済装置データのような、カードリーダ１２と携帯端末１４との間でのペアリング処理の際にカードリーダ１２から携帯端末１４に送信されるデータに基づいて生成されるデータであってもよい。
【００６４】
表示制御部８８は、ブロードキャストパケット受信部８４が受信するパケットに基づいて、図４Ａ及び図４Ｂに例示する選択画面を生成して、表示部３６に表示させる。ここでペアリング済装置データ記憶部８２に記憶されているペアリング済装置データに基づいて選択画面が生成されてもよい。
【００６５】
例えばカードリーダ１２の名称を示す文字列Ｓ１として、受信するパケットに含まれる名称データが示す文字列、又は、ペアリング済装置データに含まれる名称データが示す文字列が配置されてもよい。また例えば、カードリーダ１２のＢＴ３のＢＤアドレスを示す文字列Ｓ２として、受信するパケットに含まれるＢＴ３のＢＤアドレスが示す文字列、又は、ペアリング済装置データに含まれるＢＴ３のＢＤアドレスが示す文字列が配置されてもよい。また例えば、カードリーダ１２のＢＬＥのＢＤアドレスを示す文字列Ｓ３として、受信するパケットに含まれるＢＬＥのＢＤアドレスが示す文字列、又は、ペアリング済装置データに含まれるＢＬＥのＢＤアドレスが示す文字列が配置されてもよい。
【００６６】
また図４Ａに示すように、受信するパケットの送信元であるすべてのカードリーダ１２のそれぞれに対応付けられる候補情報５０を含む選択画面が生成されてもよい。また図４Ｂに示すように、受信するパケットの送信元であるカードリーダ１２のうち、対応するペアリング済装置データがペアリング済装置データ記憶部８２に記憶されているものに対応付けられる候補情報５０だけが含まれる選択画面が生成されてもよい。
【００６７】
また図４Ａ及び図４Ｂに示すように、対応するペアリング済装置データがペアリング済装置データ記憶部８２に記憶されている候補情報５０には、当該候補情報５０に対応付けられる接続ボタンＢが含まれるようにしてもよい。
【００６８】
選択受付部９０は、本実施形態では例えば、携帯端末１４との間でのデータの通信を行うカードリーダ１２の選択を受け付ける。ここで例えば、選択受付部９０は、複数のカードリーダ１２のそれぞれからブロードキャストのパケットを受信する場合に、これら複数のカードリーダ１２のうちからの、携帯端末１４との間でのデータの通信を行うカードリーダ１２の選択を受け付けてもよい。この場合は、これら複数のカードリーダ１２のうちのいずれかが携帯端末１４との間でのデータの通信を行うカードリーダ１２として選択される。また選択受付部９０は例えば、接続ボタンＢに対するタップ操作を携帯端末１４との間でのデータの通信を行うカードリーダ１２の選択操作として受け付けてもよい。この場合は、当該接続ボタンＢが配置された候補情報５０に対応付けられるカードリーダ１２が選択されることとなる。
【００６９】
検出信号送信部９２は、本実施形態では例えば、選択受付部９０が受け付けた選択に基づいて特定されるカードリーダ１２に検出信号を送信する。ここで例えば当該検出信号の宛先のアドレスとして、当該カードリーダ１２のＢＬＥのＢＤアドレスが設定されてもよい。
【００７０】
検出応答受信部９４は、本実施形態では例えば、検出信号の送信先であるカードリーダ１２から上述の検出応答を受け付ける。
【００７１】
通信開始要求送信部９６は、本実施形態では例えば、選択受付部９０が受け付けた選択に基づいて特定されるカードリーダ１２に通信開始要求を送信する。ここで例えば当該通信開始要求の宛先のアドレスとして、当該カードリーダ１２のＢＴ３のＢＤアドレスが設定されてもよい。また例えば通信開始要求送信部９６は、検出信号送信部９２が検出信号を送信した後に通信開始要求を送信してもよい。また例えば通信開始要求送信部９６は、検出応答受信部９４による検出応答の受信に応じて通信開始要求を送信してもよい。
【００７２】
処理実行部９８は、本実施形態では例えば、カードリーダ１２やサーバ１６と連携して、所定の情報処理を実行する。ここで処理実行部９８が、カードリーダ１２に挿入されるクレジットカードを決済する決済処理を実行してもよい。
【００７３】
本実施形態では例えば、カードリーダ１２の通信開始要求受信部７０が通信開始要求を受信することに応じて、携帯端末１４の処理実行部９８は、カードリーダ１２との間での所定の情報処理に用いられるデータの通信を開始する。そして携帯端末１４の処理実行部９８は、カードリーダ１２と連携して所定の情報処理を実行する。
【００７４】
以上の説明において、例えばブルートゥースＬＥの規格におけるスキャン要求、接続要求、接続終了通知などの信号が、上述の検出信号として用いられてもよい。また例えばブルートゥースＬＥの規格におけるスキャン要求が検出信号として用いられる場合は、ブルートゥースＬＥの規格におけるスキャン応答が上述の検出応答として用いられてもよい。また検出応答送信部６６による検出応答の送信、及び、検出応答受信部９４による検出応答の受信は行われなくてもよい。
【００７５】
また通信開始要求受信部７０による通信開始要求の送信は行われなくてもよい。この場合に例えばＢＴ３チップ２４ａの起動に応じて、カードリーダ１２と携帯端末１４との間での所定の情報処理に用いられるデータの通信が開始されてもよい。
【００７６】
以下、本実施形態に係る通信システム１０において実行される処理の流れの一例を、図６に示すフロー図を参照しながら説明する。以下の処理例では、図３に例示するペアリング済装置データがペアリング済装置データ記憶部８２に記憶されていることとする。また以下の処理例においては、カードリーダ１２−１と携帯端末１４との間でデータの通信が開始されることとする。また以下の処理例に示す処理の開始時には、カードリーダ１２−１、１２−２、１２−３のそれぞれに含まれるＢＴ３チップ２４ａの状態はオフ状態であることとする。
【００７７】
本処理例では、カードリーダ１２−１のブロードキャスト部６２が、カードリーダ１２−１のＢＬＥのＢＤアドレスを含むアドバタイジングパケットをブロードキャストしている。また、カードリーダ１２−２のブロードキャスト部６２が、カードリーダ１２−２のＢＬＥのＢＤアドレスを含むアドバタイジングパケットをブロードキャストしている。また、カードリーダ１２−３のブロードキャスト部６２が、カードリーダ１２−３のＢＬＥのＢＤアドレスを含むアドバタイジングパケットをブロードキャストしている。そしてこれらのアドバタイジングパケットを携帯端末１４のブロードキャストパケット受信部８４が受信する（Ｓ１０１）。ここで上述のようにアドバタイジングパケットのブロードキャストは繰り返し行われてもよい。
【００７８】
そして、アドレス特定部８６が、Ｓ１０１に示す処理で受信するアドバタイジングパケットに含まれるＢＬＥのＢＤアドレスに基づいて、当該ＢＬＥのＢＤアドレスに対応付けられる、ＢＴ３のＢＤアドレスを特定する（Ｓ１０２）。Ｓ１０２に示す処理では、例えば、アドレス特定部８６が、受信するアドバタイジングパケットに含まれるＢＬＥのＢＤアドレスを含むペアリング済装置データがペアリング済装置データ記憶部８２に記憶されているか否かを確認してもよい。そしてアドレス特定部８６が、記憶されていることが確認されたペアリング済装置データに含まれるＢＴ３のＢＤアドレスを、受信するアドバタイジングパケットに含まれるＢＬＥのＢＤアドレスに対応付けられるＢＴ３のＢＤアドレスとして特定してもよい。ここで受信するアドバタイジングパケットに含まれるＢＬＥのＢＤアドレスを含むペアリング済装置データがペアリング済装置データ記憶部８２に記憶されていることが確認されなかった場合は、ＢＴ３のＢＤアドレスの特定が行われなくてもよい。
【００７９】
そして、Ｓ１０１に示す処理でブロードキャストされたアドバタイジングパケットを受信した携帯端末１４の表示制御部８８は、図４Ａ又は図４Ｂに例示する選択画面を生成して表示部３６に表示させる（Ｓ１０３）。
【００８０】
ここでユーザがカードリーダ１２−１に対応付けられる候補情報５０−１に含まれる接続ボタンＢをタップしたとする。この場合、携帯端末１４の選択受付部９０は、カードリーダ１２−１の選択を受け付ける（Ｓ１０４）。
【００８１】
すると携帯端末１４の検出信号送信部９２が、カードリーダ１２−１のＢＬＥチップ２４ｂに宛てて検出信号を送信する。そしてカードリーダ１２−１の検出信号受信部６４は、当該検出信号を受信する（Ｓ１０５）。
【００８２】
するとカードリーダ１２−１の検出応答送信部６６は、携帯端末１４のＢＬＥチップ２４ｂに宛てて検出応答を送信する。そして携帯端末１４の検出応答受信部９４は、当該検出応答を受信する（Ｓ１０６）。
【００８３】
するとカードリーダ１２−１の起動停止制御部６８が、カードリーダ１２−１のＢＴ３チップ２４ａを起動させる起動命令をカードリーダ１２−１のＢＴ３チップ２４ａに出力する（Ｓ１０７）。すると、カードリーダ１２−１のＢＴ３チップ２４ａが起動する（Ｓ１０８）。このようにして、カードリーダ１２−１のＢＴ３チップ２４ａの状態はオフ状態からオン状態に切り替わる。
【００８４】
そしてカードリーダ１２−１の起動停止制御部６８が、カードリーダ１２−１のＢＬＥチップ２４ｂを停止させる（Ｓ１０９）。
【００８５】
そして携帯端末１４の通信開始要求送信部９６が、Ｓ１０２に示す処理で特定されたＢＴ３のＢＤアドレスにより識別される、カードリーダ１２−１のＢＴ３チップ２４ａに宛てて通信開始要求を送信する。するとカードリーダ１２−１の通信開始要求受信部７０が当該通信開始要求を受信する（Ｓ１１０）。
【００８６】
するとカードリーダ１２−１の処理実行部７２、携帯端末１４の処理実行部９８、及び、サーバ１６は連携して決済処理などの所定の情報処理を実行する（Ｓ１１１）。当該情報処理では、カードリーダ１２−１と携帯端末１４との間、及び、携帯端末１４とサーバ１６との間でのデータの通信が行われることとなる。
【００８７】
なお上述の処理例において、上述のＳ１０６に示す処理の後に携帯端末１４がカードリーダ１２−１のＢＬＥチップ２４ｂに宛てて接続終了通知を送信してもよい。そしてカードリーダ１２−１の起動停止制御部６８が、接続終了通知の受信に応じて、ＢＴ３チップ２４ａの起動及びＢＬＥチップ２４ｂの停止を行ってもよい。
【００８８】
また例えば、Ｓ１０９に示されている、カードリーダ１２−１のＢＬＥチップ２４ｂを停止させる処理は実行されなくてもよい。
【００８９】
本実施形態では、上述のＳ１０２に示す処理で対応データに基づいて特定されるＢＴ３のＢＤアドレスによって識別されるＢＴ３チップ２４ａは、Ｓ１０８に示す処理で状態がオン状態に切り替わるＢＴ３チップ２４ａと同じである。このようにして本実施形態では、携帯端末１４から検出信号を受信することに応じてオン状態に切り替わるＢＴ３チップ２４ａを当該携帯端末１４に確実に認識させることができるようにした。
【００９０】
また本実施形態では、ＢＬＥチップ２４ｂが検出信号を受け付けるまでは、ＢＴ３チップ２４ａの状態はオフ状態となっている。そしてＢＬＥチップ２４ｂが検出信号を受け付けるとＢＴ３チップ２４ａの状態はオン状態に切り替わる。そのため本実施形態によれば無線通信における省電力化が可能となる。また本実施形態では、カードリーダ１２が備える物理的なボタンの操作などといった、ＢＴ３チップ２４ａの状態を切り替えるためのユーザの操作が不要である。そのため、本実施形態によれば省電力化を行うためのユーザの手間が低減される。
【００９１】
なお、本発明は上述の実施形態に限定されるものではない。
【００９２】
例えばペアリング処理の際に、ペアリング処理実行部６０は、ＢＬＥのＢＤアドレスなどといった、カードリーダ１２が備えるＢＬＥチップ２４ｂの識別情報を、携帯端末１４に送信しなくてもよい。そしてこの場合に、図７に例示する、ＢＬＥのＢＤアドレスを含まないペアリング済装置データが生成されて、ペアリング済装置データ記憶部８２に記憶されてもよい。
【００９３】
そしてペアリング済装置データ記憶部８２には、図７に例示するペアリング済装置データに加えて、図８に例示する対応規則データが記憶されていてもよい。図８に示すように、対応規則データは、例えば、ＢＴ３のＢＤアドレスとＢＬＥのＢＤアドレスとの対応規則を示すデータである。図８に示す対応規則データでは、互いに対応付けられるＢＴ３のＢＤアドレスとＢＬＥのＢＤアドレスとは、最初の５オクテットが共通であり、最後の１オクテットが異なることが示されている。そして図８に示す対応規則データでは、最後の１オクテットが「２２」であるＢＬＥのＢＤアドレスは、最後の１オクテットが「１１」であるＢＴ３のＢＤアドレスに対応付けられることが示されている。そのため例えばカードリーダ１２−１のＢＬＥのＢＤアドレス「１１：１１：１１：１１：１１：２２」には、カードリーダ１２−１のＢＴ３のＢＤアドレス「１１：１１：１１：１１：１１：１１」が対応付けられることとなる。
【００９４】
そして例えば、対応規則データが示す対応規則に従って、カードリーダ１２のＢＬＥのＢＤアドレスに対応付けられる、当該カードリーダ１２のＢＴ３のＢＤアドレスが特定されるようにしてもよい。具体的には例えば、上述のＳ１０２に示す処理において、アドレス特定部８６が、対応規則データが示す対応規則に従って、受信するアドバタイジングパケットに含まれるＢＬＥのＢＤアドレスに対応付けられるＢＴ３のＢＤアドレスを特定してもよい。この場合は対応規則データが、ＢＴ３のＢＤアドレスとＢＬＥのＢＤアドレスとの対応を示す対応データとしての役割を担うこととなる。このようにＢＴ３チップ２４ａの識別情報とＢＬＥチップ２４ｂの識別情報との対応を示す対応データは、上述のペアリング済装置データには限定されない。
【００９５】
また本発明の適用範囲は、カードリーダ１２と携帯端末１４との間の通信に限定されない。本発明は一般的な通信装置間の通信にも適用可能である。また、本発明の適用範囲は無線通信に限定されない。本発明は有線通信にも適用可能である。
【００９６】
また、上記の具体的な文字列や数値及び図面中の具体的な文字列や数値は例示であり、これらの文字列や数値には限定されない。
【要約】
通信相手の装置から所定の信号を受信することに応じてオン状態に切り替わる通信部を当該通信相手の装置に確実に認識させることができる通信システム、通信装置及び省電力方法を提供する。ＢＬＥチップ（２４ｂ）は、ＢＴ３チップ（２４ａ）の状態がオフ状態である際に、ＢＬＥのＢＤアドレスを送信する。携帯端末（１４）は、記憶している対応データに基づいて、ＢＬＥチップ（２４ｂ）から受信するＢＬＥのＢＤアドレスに対応付けられるＢＴ３のＢＤアドレスを特定する。カードリーダ（１２−１）は、携帯端末（１４）から送信される所定の信号をＢＬＥチップ（２４ｂ）が受信する場合にＢＴ３チップ（２４ａ）の状態をオン状態に切り替える。状態がオン状態に切り替わったＢＴ３チップ（２４ａ）は、携帯端末（１４）との間での所定の情報処理に用いられるデータの通信を開始する。【図１】
0006532639.tif 000002
【図２Ａ】
0006532639.tif 000003
【図２Ｂ】
0006532639.tif 000004
【図３】
0006532639.tif 000005
【図４Ａ】
0006532639.tif 000006
【図４Ｂ】
0006532639.tif 000007
【図５】
0006532639.tif 000008
【図６】
0006532639.tif 000009
【図７】
0006532639.tif 000010
【図８】
0006532639.tif 000011